(57)【要約】【課題】薄型ケース等に設けられた小スペースに小型メモリカードを保管可能とするとともにメモリカードの挿入・取出しが容易なメモリカードトレイと、ディスクおよびメモリカードが容易に同時に収納可能なディスクケースを提供する。【解決手段】底部と蓋部とからなる収容部を折曲部で連結して一体的に形成し、折曲部を折り畳んで収容部を形成するメモリカードトレイにおいて、前記底部は前記蓋部と係合する係合凹凸部を備えた収容するメモリカードの長さより短い収納底部枠体からなり、前記蓋部は前記底部と係合する係合凸凹部を備えた収容するメモリカードの長さより短い収納蓋部枠体であるとともに、前記折曲部を折り畳んで前記収納蓋部枠体の係合凹凸部と前記収納底部枠体の係合凸凹部とを嵌合係止して、収容するメモリカードの長さより短い間隔に前方開口部と後方開口部とを備えたメモリカード挿入枠体を形成したメモリカードトレイである。【選択図】    図１
2011138358.tif 000002
【特許請求の範囲】
【請求項１】
底部と蓋部とからなる収容部を折曲部で連結して一体的に形成し、折曲部を折り畳んで収容部を形成するメモリカードトレイにおいて、
前記底部は前記蓋部と係合する係合凹凸部を備えた収容するメモリカードの長さより短い収納底部枠体からなり、前記蓋部は前記底部と係合する係合凸凹部を備えた収容するメモリカードの長さより短い収納蓋部枠体であるとともに、
前記折曲部を折り畳んで前記収納蓋部枠体の係合凹凸部と前記収納底部枠体の係合凸凹部とを嵌合係止して、収容するメモリカードの長さより短い間隔に前方開口部と後方開口部とを備えたメモリカード挿入枠体を形成したことを特徴とするメモリカードトレイ。
【請求項２】
前記収納底部枠体は、前記収納蓋部枠体より長く形成されることを特徴とする請求項１記載のメモリカードトレイ。
【請求項３】
前記収納蓋部枠体は、枠体の上面に蓋枠体掛止部が突設されるとともに、前記収納底部枠体は、枠体の下面に底枠体掛止部が突設されることを特徴とする請求項１又は２記載のメモリカードトレイ。
【請求項４】
前記収納蓋部枠体または前記収納底部枠体は、枠体の内壁にメモリカードの切欠部を係止する係止部を備えることを特徴とする請求項１乃至３の何れか１項に記載のメモリカードトレイ。
【請求項５】
前記収納底部枠体は、カード挿入部の先端に係止突起を設けることを特徴とする請求項１乃至４の何れか１項に記載のメモリカードトレイ。
【請求項６】
前記メモリカードトレイは柔軟性のある樹脂により一体成形されることを特徴とする請求項１乃至５の何れか１項に記載のメモリカードトレイ。
【請求項７】
上蓋と、下蓋と、ディスクを収納する円形凹部を形成した収納台と、からなる樹脂製のディスクケースにおいて、
前記収納台は、円形凹部の周縁にメモリカードトレイを挿入する凹溝を凹設してなり、
前記メモリカードトレイは、底部と蓋部と折曲部とからなり、前記底部は前記蓋部と係合する係合凹凸部を備えた収容するメモリカードの長さより短い収納底部枠体からなり、前記蓋部は前記底部と係合する係合凸凹部を備えた収容するメモリカードの長さより短い収納蓋部枠体であるとともに、前記折曲部を折り畳んで前記収納蓋部枠体の係合凹凸部と前記収納底部枠体の係合凸凹部とを嵌合係止して、収容するメモリカードの長さより短い間隔に前方開口部と後方開口部とを備えたことを特徴とするディスクケース。
【請求項８】
前記収納底部枠体は、前記収納蓋部枠体より長く形成されることを特徴とする請求項７記載のディスクケース。
【請求項９】
前記収納蓋部枠体は、枠体の上面に蓋枠体掛止部が突設されるとともに、前記収納底部枠体は、枠体の下面に底枠体掛止部が突設されることを特徴とする請求項７又は８記載のディスクケース。
【請求項１０】
前記収納蓋部枠体または前記収納底部枠体は、枠体の内壁にメモリカードの切欠部を係止する係止部を備えることを特徴とする請求項７乃至９の何れか１項に記載のディスクケース。
【請求項１１】
前記収納底部枠体は、カード挿入部の先端に係止突起を設けることを特徴とする請求項７乃至１０の何れか１項に記載のディスクケース。
【請求項１２】
前記メモリカードトレイは柔軟性のある樹脂により一体成形されることを特徴とする請求項７乃至１１の何れか１項に記載のディスクケース。
【発明の詳細な説明】
【技術分野】
【０００１】
本発明は、メモリカードを収容するメモリカードトレイと、メモリカードトレイを装備したディスクケースに関し、特に、薄型ケース等に設けられた小スペースにｍｉｃｒｏＳＤカード等の小型メモリカードを保管可能とするとともにメモリカードの挿入・取出しが容易なメモリカードトレイと、ディスクおよびメモリカードが容易に同時に収納可能なディスクケースに関する。
【背景技術】
【０００２】
近年メモリカードを使用する携帯機器の小型化に伴ってＳＤメモリカードの小型化が進んでおり、ＳＤカード（Ｓｅｃｕｒｅ  Ｄｉｇｉｔａｌメモリーカード）の外形を一回り小さくしたｍｉｎｉＳＤカードや、ｍｉｎｉＳＤカードをさらに小さくしたｍｉｃｒｏＳＤカードなどの小型のメモリカードが開発されている。
ＳＤカード、ｍｉｎｉＳＤカード、ｍｉｃｉｒｏＳＤカードの収納トレイのような小型で薄型の物品を収納する容器にあっては、指し込み収納時より収納ケースからの取り出しが困難なことが多い。特に慎重な取り扱いを要求される半導体のメモリにあっては取り出しの際に取り落としたりすることの無いように極小の収納ケースに各種の工夫を施す必要がある。
【０００３】
通常のｍｉｃｒｏＳＤカード（ｍｉｃｒｏ  Ｓｅｃｕｒｅ  Ｄｉｇｉｔａｌメモリーカード）の収納ケースには、ｍｉｃｒｏＳＤカードに指をかけてケースから取り出す構造が用いられている。ただし、超薄型で小型であるため微妙な取り扱いが必要であり、器用に取り出すには機器を取扱うための慣れが必要となっていた。
従来の小型収納ケースには、指をかけ易くするための窪み部分を設けているが、ｍｉｃｒｏＳＤカードのような薄型の収納物品の場合は、厚みのある電子部品よりも取り出しにくいという難点が依然として残っている。また、取り出す際にメモリカードにかかる力が取り扱う人によって異なるため、無理に取り出そうとして収納部品に過剰に大きな力が加わることがあったり、収納部品に指をかけられる範囲（部分）が小さい又は狭いため、その小さな範囲に集中して力が加わることにより、ｍｉｃｒｏＳＤカード等の薄型の収納部品を変形させる恐れがあった。
【０００４】
また、収納ケースに複雑な構造を用いると、薄型に形成された部品、例えばｍｉｃｉｒｏＳＤカードの収納ケースでは、ケースの厚みが大きくなることが考えられ、極小型で軽量かつ超薄型であるｍｉｃｒｏＳＤカードの持つ利点が損なわれてしまう可能性が高い。その為、軽量でコンパクトでありながら、収納ケースから安全に取り出すことが可能なメモリカードトレイの開発が待たれていた。
【０００５】
また、近年では音楽データや映像データを記録したコンパクトディスクに、更に特典を付加して付加価値を付けたコンパクトディスクの需要が増加している。ｍｉｃｒｏＳＤカードのような小型で薄型のメモリカードはデータ容量も大きく携帯電話等にも装着可能であるため、音楽記録ディスクに代わるものとして普及が進んでいる。その為、コンパクトディスクとともに独自にメモリカードを専用的に収容することが可能なディスクケースが望まれていた。特に、従来のディスクケースの形状をそのまま維持しながら同時にメモリカードも収容できるディスクケースがあればより簡便であるので、その開発が望まれていた。
【先行技術文献】
【特許文献】
【０００６】
【特許文献１】特開第２００３−１７０９８０号
【発明の概要】
【発明が解決しようとする課題】
【０００７】
本件発明は、上記問題点を解消するために、薄型ケース等に設けられた小スペースにｍｉｃｒｏＳＤカード等の小型メモリカードを保管可能とするとともにメモリカードの挿入・取出しが容易なメモリカードトレイと、ディスクおよびメモリカードが容易に同時に収納可能なディスクケースを提供することを目的とする。
【課題を解決するための手段】
【０００８】
上記目的を達成するために本発明に係るメモリーカードトレイは、底部と蓋部とからなる収容部を折曲部で連結して一体的に形成し、折曲部を折り畳んで収容部を形成するメモリカードトレイにおいて、前記底部は前記蓋部と係合する係合凹凸部を備えた収容するメモリカードの長さより短い収納底部枠体からなり、前記蓋部は前記底部と係合する係合凸凹部を備えた収容するメモリカードの長さより短い収納蓋部枠体であるとともに、前記折曲部を折り畳んで前記収納蓋部枠体の係合凹凸部と前記収納底部枠体の係合凸凹部とを嵌合係止して、収容するメモリカードの長さより短い間隔に前方開口部と後方開口部とを備えたメモリカード挿入枠体を形成したメモリカードトレイである。
【０００９】
また、前記収納底部枠体は、前記収納蓋部枠体より長く形成される。また、前記収納蓋部枠体は、枠体の上面に蓋枠体掛止部が突設されるとともに、前記収納底部枠体は、枠体の下面に底枠体掛止部が突設される。
【００１０】
また、前記収納蓋部枠体または前記収納底部枠体は、枠体の内壁にメモリカードの切欠部を係止する係止部を備えるメモリカードトレイである。更に、前記収納底部枠体は、カード挿入部の先端に係止突起を設ける構造である。更に、前記メモリカードトレイは柔軟性のある樹脂により一体成形される構造である。
【００１１】
また、上記目的を達成するために本発明に係るディスクケースは、上蓋と、下蓋と、ディスクを収納する円形凹部を形成した収納台と、からなる樹脂製のディスクケースにおいて、前記収納台は、円形凹部の周縁にメモリカードトレイを挿入する凹溝を凹設した構造で、前記メモリカードトレイは、底部と蓋部と折曲部とからなり、前記底部は前記蓋部と係合する係合凹凸部を備えた収容するメモリカードの長さより短い収納底部枠体からなり、前記蓋部は前記底部と係合する係合凸凹部を備えた収容するメモリカードの長さより短い収納蓋部枠体であるとともに、前記折曲部を折り畳んで前記収納蓋部枠体の係合凹凸部と前記収納底部枠体の係合凸凹部とを嵌合係止して、収容するメモリカードの長さより短い間隔に前方開口部と後方開口部とを備えたディスクケースである。
【００１２】
また、前記収納底部枠体は、前記収納蓋部枠体より長く形成される。また、前記収納蓋部枠体は、枠体の上面に蓋枠体掛止部が突設されるとともに、前記収納底部枠体は、枠体の下面に底枠体掛止部が突設される。
【００１３】
また、前記収納蓋部枠体または前記収納底部枠体は、枠体の内壁にメモリカードの切欠部を係止する係止部を備えるディスクケースである。更に、前記収納底部枠体は、カード挿入部の先端に係止突起を設ける構造である。更に、前記メモリカードトレイは柔軟性のある樹脂により一体成形される構造である。
【発明の効果】
【００１４】
本発明に係るメモリカードトレイおよびディスクケースは、上記詳述した通りの構成であるので、以下のような効果を奏する。
１．メモリカードの大きさ以下のトレイにより収納できるため、軽量で小型・薄型のメモリカードの特性をそのまま活かすことができる。また、安全に収容することができ、挿入・取出しの際にも安全かつ容易である。
２．収納蓋部枠体により収納時にメモリカードを上部から安全に保護することができるとともに、収納蓋部枠体が収納底部枠体より短いため、収容したメモリカードを上方から指で摘まめるのでメモリカードを取出し易い構造である。
３．蓋枠体掛止部および底枠体掛止部によりメモリカードトレイを適宜な角度に設定して設置することができ、挿入および取出しやすい構造のトレイとすることが出来る。
【００１５】
４．係止部によりメモリカードが収容部の適当な位置で係止され、底部および蓋部の寸法の縮小化を図り、より小型で軽量なメモリカードトレイを形成することが出来る。
５．係止突起によりメモリカードの飛び出しを防止し、安全に収容することが出来る。
６．柔軟性のある樹脂によりメモリカードを傷つけることなく安全に収納することが出来る。また、取出しやすい構造である。また、一体成形により低コストで製造することが出来る。
【００１６】
７．ディスクケースの端部を有効に利用して、メモリカードを収容することが可能である。メモリカードの大きさ以下のトレイにより収納できるため、重量の増加も少なく、従来のディスクケースの形状をそのまま利用して収容スペースを増加することが出来る。軽量で小型・薄型のメモリカードの特性をそのまま活かすことができる。また、安全に同種のメモリカードをコンパクトに収容することができ、薄型でありながら挿入・取出しも安全かつ容易である。
８．収納蓋部枠体により収納時にメモリカードを上部から安全に保護することができるとともに、収納蓋部枠体が収納底部枠体より短いため、収容したメモリカードを上方から指で摘まめるのでメモリカードを取出し易い構造である。
９．蓋枠体掛止部および底枠体掛止部によりメモリカードトレイを適宜な角度に設定して設置することができ、挿入および取出しやすい構造のトレイとすることが出来る。
【００１７】
１０．係止部によりメモリカードが収容部の適当な位置で係止され、底部および蓋部の寸法の縮小化を図り、より小型で軽量なメモリカードトレイを形成することが出来る。
１１．係止突起によりメモリカードの飛び出しを防止し、安全に収容することが出来る。
１２．ディスクを硬質の樹脂により安全に保護するとともに、メモリカードを柔軟性のある樹脂により傷つけることなく安全に収納することが出来る。また、柔軟性のある樹脂によりソフトで取出しやすい構造である。
【図面の簡単な説明】
【００１８】
【図１】本発明に係るメモリカードトレイの側面図である。
【図２】本発明に係るメモリカードトレイの平面図である。
【図３】本発明に係るメモリカードトレイの収容部を形成した状態の側面図である。
【図４】本発明に係るメモリカードトレイの収容部を形成した状態のメモリカード挿入時の側面図である。
【図５】本発明に係るメモリカードトレイの収容部を形成した状態の平面図である。
【図６】本発明に係るメモリカードトレイの収容部を形成した状態のメモリカード挿入時の平面図である。
【図７】本発明に係るディスクケースの一部側面断面図である。
【図８】本発明に係るディスクケースの平面図である。
【発明を実施するための形態】
【００１９】
以下に本発明に係るメモリカードトレイを図面に従って詳細に説明する。
図１に示すように、本発明のメモリカードトレイ１０は、トレイの底部となる収納底部枠体２０と、蓋部となる収納蓋部枠体３０と、折曲部４０と、からなる構成である。
【００２０】
収納底部枠体２０は、係合凹凸部２２を備え、メモリカードトレイ１０の底部を形成する。係合凹凸部２２は収納蓋部枠体３０と係合することで内部にメモリカード７０（ここでは図示せず）を収納するメモリカードトレイ１０を構成する。
図１から図６に示す実施例では、収納底部枠体２０に係合凹凸部２２として係合凹部２２ａ、２２ｂが二箇所形成されているが、一以上の係合凹凸部を備えた構造であればよい。また、二以上の係合凹凸部の形状は夫々異なる形状とすることができる。本実施例では、係合凹部２２ａは凹状に底枠体を削切して形成し、係合凹部２２ｂは側面に収納底部枠体２０を切欠いて形成している。
【００２１】
収納蓋部枠体３０は、収納底部枠体２０の係合凹凸部２２と係合する同形状の係合凸凹部３２を備え、メモリーカードトレイ１０の蓋部を形成する。
本実施例では図１に示すように係合凸凹部３２として、収納蓋部枠体３０に係合凹凸部と対応する係合凸部３２ａ、３２ｂを二箇所設置している。係合凸凹部３２も係合凹凸部２２に対応して異なる形状を採ることができる。本実施例では図２に示すように、係合凸部３２ｂが係合凸部３２ａより大きく突出した形状に形成している。
【００２２】
折曲部４０は、収納底部枠体２０と収納蓋部枠体３０の連結部であり、折曲して容器形状となる。図３に示す実施例のように、折曲部４０を折り畳んで収納底部枠体２０の係合凹凸部２２と、対応する収納蓋部枠体３０の係合凸凹部３２とを係合することにより、内部に収納空間を形成してメモリカードトレイ１０を形成する構造である。
折曲部４０は収納底部枠体２０および収納蓋部枠体３０より厚みが薄くおよび／または幅が細く形成されており、屈曲し易い形状となっている。本実施例では、図１に示す側面図のように厚みが薄く形成されている。また、図２に示す平面図のように、収納底部枠体２０と収納ル他部枠体３０との間の連結部には空隙が形成されており、折曲部４０ａ、４０ｂが収納底部枠体２０と収納蓋部枠体３０を連結する底部および蓋部より幅の狭い２つの帯状に形成されている。
また、折曲部４０により連結し、屈曲によりメモリカードトレイ１０を形成する構造とすることで、メモリカードトレイを一つの金型で一体成形することができ、安価で製造容易な構造とすることもできる。
【００２３】
本発明のメモリカードトレイ１０は、図３および図４に示す実施例のように、収納底部枠体２０を収納蓋部枠体３０よりメモリカードの長手方向に長く形成することが好ましい。特に、収納蓋部枠体３０はメモリカード７０の長手方向の長さより短く形成することが好ましく、収納蓋部枠体３０を短く形成することで、メモリカード７０を指で摘んで前方開口部１２から挿入することができるので、取出し易いトレイとすることが出来る。更に、本実施例では、収納蓋部枠体３０の前方開口部側を円弧状に切欠いた形状に形成しており、メモリカード７０の両側面を保護しながら指で中央部を摘みやすい構造となっている。
【００２４】
本発明のメモリカードトレイ１０は、図４および図６に示すように、メモリカード７０がメモリカードトレイ１０の前方開口部１２から挿入され、メモリカード１０の切欠部７２を有する挿入側が後方開口部１４から突出している状態で収納される。
【００２５】
本実施例のメモリカードトレイでは、収納蓋部枠体３０または収納底部枠体２０は、図６の平面図に示すように、メモリカード７０の挿入時に、メモリカードの切欠部７２が当接して係止する係止部５０を装備している。本発明ではメモリカードトレイ１０の後方が開口に形成されているが、係止部５０によりメモリカード７０を適切な位置で係止可能であり、メモリカードトレイ１０をより小型に軽量に形成している。
【００２６】
また、収納底部枠体２０は端部にカード飛び出し防止用の係止突起２６を設ける構造とすることも出来る。係止突起２６は、メモリカード１０の挿入部である収納底部枠体先端に設けられる。図１から図６に示す実施例では、収納底部枠体２０の先端を蓋部方向に凸設して係止突起２６を形成しているが、収容されたメモリカードが飛び出す事を防止するように凸状に形成されるものであればよい。
【００２７】
基台８０は、メモリカードトレイ１０を掛止する台であり一部に凹状の陥没穴が削切されている。図３および図４に示すように、基台８０は平板状の面に凹穴が形成されているものであればよく、例えば硬質および軟質の樹脂素材、紙素材、木材、金属等、様々な基台を用いることが可能である。
【００２８】
収納蓋部枠体３０は、図１、図３および図４に示すように、枠体の上面に蓋枠体掛止部３４を形成した構造とすることが出来る。また、同様に収納底部枠体２０の下面には底枠体掛止部２４を形成した構造とすることが出来る。蓋枠体掛止部３４および底枠体掛止部２４を設けることで、図３および図４に示すように、基台８０に掛止して基台８０に対して適当な角度を保ちながらメモリカードトレイを固定して設置することが可能である。
蓋枠体掛止部３４および底枠体掛止部２４により、陥没穴の形成された基台に自由にメモリカードトレイ１０を嵌入して装着することができる。また、収納部が傾斜している為、メモリカードトレイ１０の占有幅を狭くすることが出来るとともに、小型のメモリカードであっても出し入れがし易い構造である。
【００２９】
本発明のメモリカードトレイ１０は、多様な素材により形成することが可能であるが、樹脂により一体成形されることが好ましい。また、柔軟性のある樹脂により一体成形されることがより好ましい。例として、ポリプロピレン等の柔軟性のある樹脂で成形することにより、軽量で傷つきやすい小型のメモリカードを安全に傷つけることなく収容保護することが可能である。また、トレイ挿入時や取出し時に指で摘みやすい構造である。
【００３０】
次に、本発明に係るディスクケース１００について、図６および図７に示す実施例に従って詳述する。
本発明に係るディスクケース１００は、上蓋１２０と、下蓋１３０と、ディスクを内部に収納する収納台１４０と、メモリカードを挿入するメモリカードトレイ１０と、からなる。
【００３１】
ディスクケースの基本構造は従来のものと同一であり、上蓋１２０と下蓋１３０は開閉自在になるように一辺が枢着されている。収納台１４０は下蓋１３０の中に収容されている。収納台１４０に設けられたコンパクトディスクの円形凹部１４２は、収納するディスクの形状に凹部が形成されており、凹部の中央部にディスク保持体を設けた構造である。収納台１４０が組み込まれた下蓋３０に上蓋２０を被せてコンパクトディスクを収納および保護する構造となっている。
【００３２】
収納台１４０の近傍には、メモリカードを収容する凹溝１５０が形成される。凹溝１５０は、収納台１４０に凹設されたメモリーカードトレイ１０の嵌入部位である。本発明のディスクケース１００に装備するメモリカードトレイ１０は、ＳＤカード、ｍｉｎｉＳＤカード、およびｍｉｃｒｏＳＤカードを挿入可能なトレイであることが好ましく、特に、ｍｉｃｒｏＳＤカード用のトレイを挿入することが好ましい。
【００３３】
メモリカードトレイ１０は、底部となる収納底部枠体２０と、蓋部となる収納蓋部枠体３０と、折曲部４０と、からなり、折曲部４０を折り畳んで、収納底部枠体２０の係合凹凸部２２と対応する収納蓋部枠体３０の係合凸凹部３２とを係合することにより内部にメモリカード収納空間を形成したメモリカードトレイを構成する。
収納底部枠体２０にはトレイ上面に底枠体掛止部２４が突設されており、収納蓋部枠体３０にはトレイ下面に蓋枠体掛止部３４が突設されている。
【００３４】
メモリカードトレイ１０に設けられた蓋枠体掛止部３４および底枠体掛止部２４は、図７に示すように、下蓋１３０の凹溝１５０の周縁部に掛止する。掛止部２４、３４によってメモリカードトレイ１０は収納底枠体２０が下蓋１３０に対して傾斜して設置される構造である。掛止部２４、３４によって、メモリカードトレイ１０の前方挿入口１２がディスクケースの上方に開口されているため、挿入しやすく、取り出し易い構造とすることが可能である。また、傾斜することにより既存のディスクトレイの厚さおよび大きさを変えることなく、メモリカードを収納することができ、更に、ディスクの内容を説明する冊子の挿入幅を確保することができる。
【００３５】
収納底部枠体２０は、収納蓋部枠体３０より長く形成され、メモリカードトレイ１０の開口部からメモリカードを挿入・取出し易い構造とすることが可能である。
また、メモリカードトレイ１０は、前方開口部１２と後方開口部１４を備え、後方開口部１４から収納台１４０にメモリカードが突出した状態で保持される。
【００３６】
メモリカードトレイ１０の収納底部枠体２０または収納蓋部枠体３０は係止部４０を備える構造とすることが可能である。係止部５０はメモリカードトレイ１０の後方開口部１４側の内部に設けられ、メモリカード７０の切欠部７２に当接して傾斜して挿入されたメモリカードを保持する。
【００３７】
また、メモリカードトレイ１０の前方開口部１２側の収納底部枠体２０には係止突起２６が設けられる。メモリカードトレイの前方開口方向の先端に突起を設けることで、メモリカードの収納が確実になり、振動により飛び出す虞を物理的に防止する。
【００３８】
図７および図８に示す実施例のように、本発明のディスクケース１００は、ディスクケースの収納台１４０の一部に凹溝１５０を凹設して凹溝１５０の内部にメモリカードトレイ１０を装備した構成である。
ディスクケース１００に挿入するメモリカードトレイ１０は、上述のメモリカードトレイ１０と同様に、軟質の樹脂により一体成形されることが好ましい。
【００３９】
本発明のディスクケース１００は、上蓋１２０、下蓋１３０および収納台１４０がメモリカードトレイ１０に対して硬質の樹脂、例えばポリスチレン樹脂等により形成される。硬質樹脂で形成することにより、コンパクトディスクを安全に保護することができ、メモリカードトレイ１０については軟質樹脂で形成されているため、メモリカード７０を傷つけることなく安全に収納保護することが可能である。また、別素材の樹脂であっても、硬質の樹脂ケースに軟質の樹脂トレイを簡易に嵌入装着して形成することが出来るため製造が容易であり、複雑な金型を用いることなく、従来のディスクケースを用いて簡便にメモリカードも収納可能なディスクケースを提供することが出来る。
【符号の説明】
【００４０】
１０    メモリカードトレイ
１２    前方開口部
１４    後方開口部
２０    収納底部枠体
２２    係合凹凸部
２２ａ、２２ｂ  係合凹部
２４    底枠体掛止部
２６    係止突起
３０    収納蓋部枠体
３２    係合凸凹部
３２ａ、３２ｂ  係合凸部
３４    蓋枠体掛止部
４０    折曲部
５０    係止部
７０    メモリカード
７２    切欠部
８０    基台
１００  ディスクケース
１２０  上蓋
１３０  下蓋
１４０  収納台
１４２  円形凹部
１５０  凹溝
【図１】
2011138358.tif 000003
【図２】
2011138358.tif 000004
【図３】
2011138358.tif 000005
【図４】
2011138358.tif 000006
【図５】
2011138358.tif 000007
【図６】
2011138358.tif 000008
【図７】
2011138358.tif 000009
【図８】
2011138358.tif 000010